(57)【要約】      （修正有）【課題】収納したマスクの装着面に雑菌が繁殖することのなく、使用済みのマスクを衛生的に収納して携帯することができるマスクケースを提供する。【解決手段】マスクを折り畳んで収納できるケース１０であって、上記折り畳んだマスク片の間に配置できる抗菌処理が施された介装プレート部１１を有する。また、全体が合成樹脂製であって、基板部１２と、基板部の一端部に連設され、基板部上に折り畳み可能に形成された蓋部１３とを有し、介装プレート部は、基板部の他端部に連設され、蓋部を折り畳んだ際には、蓋部下方に折り畳み可能に形成されていることを特徴とする。【選択図】図１
0003191947.tif 000002
【実用新案登録請求の範囲】
【請求項１】
マスクを折り畳んで収納できるケースであって、上記折り畳んだマスク片の間に配置できる抗菌処理が施された介装プレート部を有することを特徴とするマスクケース。
【請求項２】
全体合成樹脂製であって、基板部と、上記基板部の一端部に連設され、上記基板部上に折り畳み可能に形成された蓋部とを有し、上記介装プレート部は、上記基板部の他端部に連設され、上記蓋部を折り畳んで際には、上記蓋部下方に折り畳み可能に形成されていることを特徴とする請求項１記載のマスクケース。
【請求項３】
上記介装プレート部の幅方向端部には、マスク係止部が形成されていることを特徴とする請求項２記載のマスクケース。
【請求項４】
上記基板部、上記蓋部及び介装プレート部は同一寸法であって平面正方形状に形成され、上記マスク係止部は、介装プレート部の端部に形成された連続する凸部であることを特徴とする請求項２記載のマスクケース。
【請求項５】
上記基板部の蓋部及び介装プレート部との間に形成された一対の対向する端部には、フラップ部が形成されていることを特徴とする請求項４記載のマスクケース。
【考案の詳細な説明】
【技術分野】
【０００１】
本考案は、マスクケースの改良に関する。
【背景技術】
【０００２】
一般に、広く風邪対策等のためにマスクが使用されている。このようなマスクは不織布又はガーゼにより形成されており、複数回使用することができるが、一度使用したマスクをポケット等に収納して再度使用することは不衛生であることから、従来から様々なマスクケースが使用されている。
【０００３】
このような従来のマスクケースは、例えば、特許文献１に開示されているものがある。図４に示すように、特許文献１に開示されているマスクケース３０は、抗菌処理が施されて２つ折りに折り畳め、通気口３４が設けられたシート体３１、３１により形成されており、使用したマスク３２をシート体３１、３１上に広げて収納し、その状態でシート体３１、３１を２つ折りにして適宜携帯することができるように構成されている。
【０００４】
しかしながら、このような従来のマスクケース３０にあっては、収納したマスク３２の着用面３３、３３は互いに密着した状態で折り畳まれることもあり、携帯時には時間の経過に伴い着用面３３、３３に菌が繁殖する可能性もあり不衛生な状態で、次回装着せざるを得ない場合もある、という欠点もあった。
【特許文献１】２００５―１３７８５８号公報
【考案の開示】
【考案が解決しようとする課題】
【０００５】
本考案はこのような従来からの不具合を解決するためのものであって、その課題は、収納したマスクの装着面に雑菌が繁殖することのなく、使用済みのマスクを衛生的に収納して携帯することができるマスクケースを提供することにある。
【課題を解決するための手段】
【０００６】
上記課題達成のため、請求項１記載の考案にあっては、マスクを折り畳んで収納できるケースであって、上記折り畳んだマスク片の間に配置できる抗菌処理が施された介装プレート部を有することを特徴とする。
【０００７】
従って、請求項１記載の考案にあっては、折り畳んで収納されたマスク片の間に上記抗菌処理が施された介装プレート部が配置されることから、折り畳んだマスク片の互いに接触する面が着用面であった場合であっても着用面に抗菌作用を及ぼすことができる。
【０００８】
請求項２記載の考案にあっては、全体合成樹脂製であって、基板部と、上記基板部の一端部に連設され、上記基板部上に折り畳み可能に形成された蓋部とを有し、上記介装プレート部は、上記基板部の他端部に連設され、上記蓋部を折り畳んで際には、上記蓋部下方に折り畳み可能に形成されていることを特徴とする。請求項２記載の考案にあっては、上記基板部上に、介装プレート部を介して上記蓋部を被覆して携帯する。
【０００９】
請求項３記載の考案にあっては、上記介装プレート部の幅方向端部には、マスク係止部が形成されていることを特徴とする。請求項３記載の考案にあっては、上記マスク係止部にマスクを係止させた状態でマスクを収納させることができる。
【００１０】
請求項４記載の考案にあっては、上記基板部、上記蓋部及び介装プレート部は同一寸法であって平面正方形状に形成され、上記マスク係止部は、介装プレート部の端部に形成された連続する凸部であることを特徴とする。
【００１１】
請求項５記載の考案にあっては、上記基板部の蓋部及び介装プレート部との間に形成された一対の対向する端部には、フラップ部が形成されていることを特徴とする。請求項５記載の考案にあっては、上記一対のフラップ部が収納されたマスクを保持する。  
【考案の効果】
【００１２】
請求項１記載の考案にあっては、折り畳んで収納されたマスク片の間に上記抗菌処理が施された介装プレート部が配置されることから、折り畳んだマスク片の互いに接触する面が着用面であった場合であっても着用面に抗菌作用を及ぼすことができ、使用済みのマスクの着用面を内側にして相互に接触するように折り畳んで収納して携帯した場合であっても着用面における雑菌の繁殖を有効に防止することができ、マスクを衛生的な状態で再使用することができる。
また、上記改装プレート部に抗ウィルス処理を施した場合には、抗ウィルス作用を発揮させることも可能となる。
【００１３】
請求項２記載の考案にあっては、上記基板部上に、介装プレート部を介して上記蓋部を被覆して携帯するように構成されており、折り畳んだマスクの一対のマスク片を介装プレート部に係止させるようにして収納するため、請求項１記載の考案の効果に加えて収納がしやすいマスクケースを提供することができる。
【００１４】
請求項３記載の考案にあっては、上記介装プレート部の幅方向端部には、マスク係止部が形成されており、上記マスク係止部にマスクを係止させた状態でマスクを収納させることができるため、請求項１及び２記載の考案の効果に加えて、収納したマスクが固定され、搬送時の振動等によっても、ケース内でずれてしまうことがないマスクケースを提供することができる。
【００１５】
請求項４記載の考案にあっては、上記基板部、上記蓋部及び介装プレート部は同一寸法であって平面正方形状に形成されていることから、携帯しやすいマスクケースを提供することができる。
【００１６】
請求項５記載の考案にあっては、上記基板部の蓋部及び介装プレート部との間に形成された一対の対向する端部には、フラップ部が形成されており、上記フラップ部によって収納したマスクを保持するように構成されていることから、収納したマスクを確実に保持して携帯することができるマスクケースを提供することができる。
【図面の簡単な説明】
【００１７】
【図１】本考案に係るマスクケースの一実施の形態であって展開状態を示す斜視図である。
【図２】本考案に係るマスクケースの一実施の形態であって展開状態を示す斜視図であって、長さ方向に２つの折り畳んだマスクと、介装プレート部との関係を示す斜視図である。
【図３】本考案に係るマスクケースの一実施の形態であって展開状態を示す斜視図であって、長さ方向に２つの折り畳んだマスクと、介装プレート部との関係を示す斜視図である。
【図４】従来のマスクケースを示す斜視図である。
【考案を実施するための最良の形態】
【００１８】
以下、添付図面に示す実施の形態に基づき、本考案を詳細に説明する。
図１及び図２に示すように、本実施の形態に係るマスクケース１０は、一般に市販されているサージカルマスクを長さ方向に２つ折りに折り畳んで収納できる大きさに構成され、上記折り畳んだマスク片２２、２２の間に配置できる抗菌処理が施された介装プレート部１１を有している。
【００１９】
本実施の形態に係るマスクケース１０は、全体合成樹脂製であって、正方形状の基板部１２と、上記基板部１２の一端部に連設され、上記基板部１２上に折り畳み可能に形成され、上記基板部１２と同一の大きさいの正方形に形成された蓋部１３とを有し、蓋部１３には折り畳んだ際に基板部１２の外表面側に回して基板部１２に設けられたスリット２１に係合させうるフック部１４が延設されている。
【００２０】
上記介装プレート部１１は、上記基板部１２の、上記蓋部１３が設けられた対向辺部に連設され、上記蓋部１３を折り畳んだ際には、上記蓋部１３の下方に折り畳み可能に形成されている。介装プレート部１１は、２つに折り畳んだマスクを挟んだ場合に基板部１２上に収まるように、基板部１２よりも僅かに小さい幅寸法及び長さ寸法に形成されている。
【００２１】
介装プレート部１１の幅方向端部には、マスク係止部１５が形成されている。本実施の形態にあっては、マスク係止部１５は、介装プレート部１５の端部に形成された連続する凸部１６により形成されている。
【００２２】
上記基板部１２の蓋部１３及び介装プレート部１１との間に形成された一対の対向する端部には、平面略細長長方形状のフラップ部１７、１７が形成されている。
【００２３】
以下、本実施の形態に係るマスクケース１０の作用について説明する。
本実施の形態に係るマスクケース１０を使用する場合には、図２に示すように、マスク１８を、互いに顔への着用面２０、２０が向き合うように長さ方向に沿って２つ折りにし、端部側から介装プレート部 １１のマスク係止部１５が折り目部１９に当接するまで差し込む。
【００２４】
その後、２枚のフラップ部１７、１７を折り返して、フラップ部１７、１７により折り畳んだマスク１８の両端部を押さえ、この状態で、蓋部１３によりマスク１８の上方を被覆するようにして、蓋部１３を基板部１２上に被せ、さらに、フック部１４を折り返して、基板部１２の設けられたスリット部に係合させて蓋部１３を基板部１２に固定する。
従って、本実施の形態に係るマスクケース１０はマスク１８を内部に収納して折り畳んだ場合には、マスクケース１０は薄型の平面正方形状のケースとして携帯することができる。
【００２５】
従って、本実施の形態にあっては、抗菌加工処理が施された介装プレート部１１が、着用面２２、２２が対向するように配置されているマスク１８の間に配置されていることから、従来のように着用面２０、２０が相互に接触することによる雑菌等の繁殖を防止することができ、衛生的に良好な状態で使用済みのマスク１８を収納して携帯することが可能となる。
【００２６】
本実施の形態にあっては、マスクケース１０が合成樹脂製であって全体平面正方形状に形成されている場合を例に説明したが、ケースの素材及び平面形状に関しては限定されない。
【産業上の利用可能性】
【００２７】
本考案は広くマスクケースに適用することができることから、産業上の利用可能性を有している。
【符号の説明】
【００２８】
１０  マスクケース
１１  介装プレート部 
１２  基板部
１３  蓋部
１４  フック部
１５  マスク係止部
１６  凸部
１７  フラップ部
１８  マスク
１９  折り目部
２０  着用面  
２１  スリット
２２  マスク片
３０  マスクケース
３１  シート体
３２  マスク
３３  着用面
３４  通気孔
【図１】
0003191947.tif 000003
【図２】
0003191947.tif 000004
【図３】
0003191947.tif 000005
【図４】
0003191947.tif 000006
【手続補正書】
【提出日】平成26年5月26日(2014.5.26)
【手続補正１】
【補正対象書類名】実用新案登録請求の範囲
【補正対象項目名】全文
【補正方法】変更
【補正の内容】
【実用新案登録請求の範囲】
【請求項１】
マスクを折り畳んで収納できるケースであって、上記折り畳んだマスク片の間に配置できる抗菌処理が施された介装プレート部を有することを特徴とするマスクケース。
【請求項２】
全体が合成樹脂製であって、基板部と、上記基板部の一端部に連設され、上記基板部上に折り畳み可能に形成された蓋部とを有し、上記介装プレート部は、上記基板部の他端部に連設され、上記蓋部を折り畳んだ際には、上記蓋部下方に折り畳み可能に形成されていることを特徴とする請求項１記載のマスクケース。
【請求項３】
上記介装プレート部の幅方向端部には、マスク係止部が形成されていることを特徴とする請求項２記載のマスクケース。
【請求項４】
上記基板部、上記蓋部及び介装プレート部は同一寸法であって平面正方形状に形成され、上記マスク係止部は、介装プレート部の端部に形成された連続する凸部であることを特徴とする請求項３記載のマスクケース。
【請求項５】
上記基板部の蓋部及び介装プレート部との間に形成された一対の対向する端部には、フラップ部が形成されていることを特徴とする請求項４記載のマスクケース。
【手続補正２】
【補正対象書類名】明細書
【補正対象項目名】０００８
【補正方法】変更
【補正の内容】
【０００８】
請求項２記載の考案にあっては、全体が合成樹脂製であって、基板部と、上記基板部の一端部に連設され、上記基板部上に折り畳み可能に形成された蓋部とを有し、上記介装プレート部は、上記基板部の他端部に連設され、上記蓋部を折り畳んだ際には、上記蓋部下方に折り畳み可能に形成されていることを特徴とする。請求項２記載の考案にあっては、上記基板部上に、介装プレート部を介して上記蓋部を被覆して携帯する。